【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
架橋ポリマを調製するための連続プロセスであって、前記プロセスは、
（ｉ）式１１および２２、（ｉｉ）式１１および３３、または（ｉｉｉ）式１１、２２、および３３のいずれかのモノマを含む重合混合物を連続プロセスで反応させて、架橋ポリマーを形成する工程
を含み、
式１１、式２２、および式３３は、下記構造により表され、
【化１８】
2013522448.tif 000001
前記架橋ポリマは、式１および２、式１および３、または式１、２、および３に対応する構造単位を含み、
式１、式２、および式３は下記構造により表され、
【化１５】
2013522448.tif 000002
式中、
Ｒ１およびＲ２はそれぞれ独立して、水素、アルキル、シクロアルキル、またはアリールであり、
Ａ１はカルボンキシル基、ホスホン酸基、またはリン酸基であり、
Ａ１１は任意選択で保護されたカルボキシル基、ホスホン酸基、またはリン酸基であり、
Ｘ１はアリーレンであり、
Ｘ２はアルキレン、エーテル部分、またはアミド部分である、連続プロセス。
【請求項２】
式１、式２、および式３により表される前記構造単位は、下記構造により表され、
【化１７】
2013522448.tif 000003
式１１、式２２、および式３３のモノマは、下記構造により表され、
【化１９】
2013522448.tif 000004
式中、アルキルは、メチル、エチル、プロピル、イソプロピル、ブチル、イソブチル、ｓｅｃ−ブチル、ｔｅｒｔ−ブチル、ペンチル、イソペンチル、ｓｅｃ−ペンチル、またはｔｅｒｔ−ペンチルである、請求項１に記載のプロセス。
【請求項３】
前記ポリマは、式１、２および３に対応する構造単位を含む、請求項１または２に記載のプロセス。
【請求項４】
（ｉ）式１に対応する構造単位は、前記重合反応において使用されるモノマ量から計算された前記ポリマ中の式１、２、および３の構造単位の総重量に基づき、少なくとも約８５ｗｔ％を占め、前記式２に対応する構造単位の前記式３に対応する構造単位に対する重量比は約４：１〜約１：４であるか、または
（ｉｉ）前記ポリマ中の式１の構造単位のモル分率は、前記重合反応において使用されるモノマ量から計算された式１、２、および３の構造単位の総モル数に基づき、少なくとも約０．８７であり、前記式２の構造単位の前記式３の構造単位に対するモル比は、約０．２：１〜約７：１であるかのいずれかである、請求項１〜３のいずれか一項に記載のプロセス。
【請求項５】
前記重合混合物はさらに重合開始剤を含む、請求項１〜４のいずれか一項に記載のプロセス。
【請求項６】
前記重合混合物を連続反応器中で反応させる工程をさらに含み、水相および有機相が前記反応器に供給される、請求項１〜５のいずれか一項に記載のプロセス。
【請求項７】
前記有機相は、前記反応器に供給される前にミキサ内で混合されたモノマ混合物を含む、請求項６に記載のプロセス。
【請求項８】
前記水相は、前記反応器に供給される前に混合された水、界面活性剤および塩の混合物を含む、請求項６に記載のプロセス。
【請求項９】
前記反応器は栓流反応器である、請求項６に記載のプロセス。
【請求項１０】
前記栓流反応器は加えて、オリフィス板を備える、請求項９に記載のプロセス。
【請求項１１】
前記オリフィス板は、実質的に球状であるポリマ粒子を生成するようなサイズおよび形状とされた１つ以上のオリフィスを有する、請求項１０に記載のプロセス。
【請求項１２】
前記連続反応器からの出口ストリームは、前記反応器からの出口ストリームを受け入れるための連続かくはん槽型反応器により受け入れられる、請求項６〜１０のいずれか一項に記載のプロセス。
【請求項１３】
前記ポリマは、架橋された（２−フルオロアクリレート）−ジビニルベンゼン−１，７−オクタジエンポリマである、請求項１〜１２のいずれか一項に記載のプロセス。
【手続補正２】
【補正対象書類名】明細書
【補正対象項目名】０００９
【補正方法】変更
【補正の内容】
【０００９】
プロセスは一般に、連続反応器、好ましくは前段にオリフィスを有するジャケット付き栓流反応器を使用し、これらは全て所望の物理特性を有する粒子を製造するようなサイズとされる。
本発明は、例えば以下の項目を提供する。
（項目１）
架橋ポリマを調製するための連続プロセスであって、前記架橋ポリマは、式１および２、式１および３、または式１、２、および３に対応する構造単位を含み、
式１、式２、および式３は下記構造により表され、
【化１５】
2013522448.tif 000005
式中、
Ｒ１およびＲ２はそれぞれ独立して、水素、アルキル、シクロアルキル、またはアリールであり、
Ａ１はカルボンキシル基、ホスホン酸基、またはリン酸基であり、
Ｘ１はアリーレンであり、
Ｘ２はアルキレン、エーテル部分、またはアミド部分である、連続プロセス。
（項目２）
式１および２、式１および３、または式１、２、および３に対応する構造単位を含む架橋ポリマを調製するための連続プロセスであって、
式１、式２、および式３は下記構造により表され、
【化１６】
2013522448.tif 000006
式中、
Ｒ１およびＲ２はそれぞれ独立して、水素、アルキル、シクロアルキル、またはアリールであり、
Ａ１はカルボキシル基、ホスホン酸基、またはリン酸基であり、
Ｘ１はアリーレンであり、
Ｘ２はアルキレン、エーテル部分、またはアミド部分である、連続プロセス。
（項目３）
式１、式２、および式３により表される前記構造単位は、下記構造により表される、
【化１７】
2013522448.tif 000007
項目１または２に記載のプロセス。
（項目４）
前記ポリマは、式１、２および３に対応する構造単位を含む、項目１〜３のいずれか一項に記載のプロセス。
（項目５）
（ｉ）式１に対応する構造単位は、前記重合反応において使用されるモノマ量から計算された前記ポリマ中の式１、２、および３の構造単位の総重量に基づき、少なくとも約８５ｗｔ％を占め、前記式２に対応する構造単位の前記式３に対応する構造単位に対する重量比は約４：１〜約１：４であるか、または
（ｉｉ）前記ポリマ中の式１の構造単位のモル分率は、前記重合反応において使用されるモノマ量から計算された式１、２、および３の構造単位の総モル数に基づき、少なくとも約０．８７であり、前記式２の構造単位の前記式３の構造単位に対するモル比は、約０．２：１〜約７：１であるかのいずれかである、項目１〜４のいずれか一項に記載のプロセス。
（項目６）
前記ポリマは、式１および２に対応する構造単位を含む、項目１〜３のいずれか一項に記載のプロセス。
（項目７）
前記ポリマは、式１および３に対応する構造単位を含む、項目１〜３のいずれか一項に記載のプロセス。
（項目８）
架橋ポリマを調製するための連続プロセスであって、前記架橋ポリマは、架橋ポリマは（ｉ）式１１および２２、（ｉｉ）式１１および３３、または（ｉｉｉ）式１１、２２、および３３のいずれかのモノマを含む重合混合物の反応生成物であり、
式１１、２２、および３３は、下記構造により表され、
【化１８】
2013522448.tif 000008
式中、
Ｒ１およびＲ２はそれぞれ独立して、水素、アルキル、シクロアルキル、またはアリールであり、
Ａ１１は任意選択で保護されたカルボキシル基、ホスホン酸基、またはリン酸基であり、
Ｘ１はアリーレンであり、
Ｘ２はアルキレン、エーテル部分、またはアミド部分である、連続プロセス。
（項目９）
式１１、式２２、および式３３は、下記構造により表され、
【化１９】
2013522448.tif 000009
式中、アルキルは本明細書で規定される通りである、項目８に記載のプロセス。
（項目１０）
前記重合混合物はさらに重合開始剤を含む、項目１〜９のいずれか一項に記載のプロセス。
（項目１１）
さらに連続反応器を含み、水相および有機相が前記反応器に供給される、項目１〜１０のいずれか一項に記載のプロセス。
（項目１２）
前記有機相は、前記反応器に供給される前にミキサ内で混合されたモノマ混合物を含む、項目１１に記載のプロセス。
（項目１３）
前記水相は、前記反応器に供給される前に混合された水、界面活性剤および塩の混合物を含む、項目１１に記載のプロセス。
（項目１４）
前記反応器は栓流反応器である、項目１１に記載のプロセス。
（項目１５）
前記栓流反応器は加えて、オリフィス板を備える、項目１４に記載のプロセス。
（項目１６）
前記オリフィス板は、実質的に球状であるポリマ粒子を生成するようなサイズおよび形状とされた１つ以上のオリフィスを有する、項目１５に記載のプロセス。
（項目１７）
加えて、前記反応器からの出口ストリームを受け入れるための連続かくはん槽型反応器を備える、項目１１〜１５のいずれかに記載のプロセス。
（項目１８）
前記ポリマは、架橋された（２−フルオロアクリレート）−ジビニルベンゼン−１，７−オクタジエンポリマである、項目１〜１７のいずれか一項に記載のプロセス。